(57)【特許請求の範囲】
【請求項１】
被写体を撮像して画像データを生成する撮像装置であって、
前記画像データに対応する画像を含む情報を表示する表示部と、
各々が前記画像データを記録する記録媒体を装着可能な記録スロットである第１および第２スロットと、
前記第１および第２スロットにそれぞれ装着された２つの記録媒体への前記画像データの記録を所定の順序で連続的に切り換えて行う自動切換モード、および前記２つの記録媒体への前記画像データの記録を同時に行う同時記録モードのいずれかの記録モードを設定することが可能な記録制御部と、
前記記録制御部が設定した記録モードに関する設定モード情報を記録モードごとに異なる表示態様で前記表示部に表示させる表示制御部と、
を備え、
前記表示制御部は、
前記自動切換モードに設定されている場合、前記第１および第２スロットをそれぞれ示す２つの絵のうち記録中の記録スロットを示す絵が手前側に位置するとともに２つの絵がシフトして重なってなるアイコンを前記設定モード情報として前記表示部に表示させ、
前記同時記録モードに設定されている場合、前記第１および第２スロットをそれぞれ示す絵が並んでなるアイコンを前記設定モード情報として前記表示部に表示させることを特徴とする撮像装置。
【請求項２】
前記表示制御部は、
前記自動切換モードに設定されている場合において、記録中の記録媒体が切り換わったとき、前記設定モード情報の表示態様を変更して前記表示部に表示させることを特徴とする請求項１に記載の撮像装置。
【請求項３】
前記表示制御部は、
前記表示部に対し、生成された前記画像データを順次表示するライブビュー表示の最中に前記設定モード情報を表示させることを特徴とする請求項１または２に記載の撮像装置。
【請求項４】
前記表示制御部は、
当該撮像装置の設定内容を示すコントロールパネルを前記表示部に表示させることが可能であり、
前記コントロールパネルは、前記２つの記録媒体における前記記録モードに応じた記録の分担内容を示す分担表示アイコンを含むことを特徴とする請求項１〜３のいずれか一項に記載の撮像装置。
【請求項５】
前記表示制御部は、
前記設定モード情報を前記表示部の画面の縁端部に表示させることを特徴とする請求項１〜４のいずれか一項に記載の撮像装置。
【請求項６】
前記記録制御部は、
前記記録モードに応じて定まる記録可能なデータ量の情報を算出し、
前記表示制御部は、
前記記録可能なデータ量の情報を前記表示部に表示させることを特徴とする請求項１〜５のいずれか一項に記載の撮像装置。
【請求項７】
前記表示制御部は、
前記記録可能なデータ量の情報を前記設定モード情報と並べて前記表示部に表示させることを特徴とする請求項６に記載の撮像装置。
【請求項８】
外部からの信号の入力を受け付ける入力部をさらに備え、
前記表示制御部は、
前記入力部が前記記録モードの設定を指示する信号の入力を受け付けた場合、前記記録モードの設定用情報を前記表示部に表示させることを特徴とする請求項１〜７のいずれか一項に記載の撮像装置。
【請求項９】
前記設定用情報は、
前記記録モードの種類を示す記録モード情報、有効となる前記記録スロットの種類を示す記録スロット情報、前記画像データのファイル形式を示すファイル形式情報、ならびに前記記録モード、前記記録スロットおよび前記ファイル形式の組み合わせに応じて定まる記録可能なデータ量の情報を含むことを特徴とする請求項８に記載の撮像装置。
【発明の詳細な説明】
【技術分野】
【０００１】
本発明は、被写体を撮像して画像データを生成する撮像装置に関する。
【背景技術】
【０００２】
従来、撮影した動画データを複数の記録媒体に記録することが可能な撮像装置が知られている（例えば、特許文献１を参照）。この撮像装置では、画像データを記録中である記録媒体の空き容量がなくなると、別の記録媒体に保存先を切り換えて画像データの記録を継続する。
【先行技術文献】
【特許文献】
【０００３】
【特許文献１】特開２００７−１７４６９３号公報
【発明の概要】
【発明が解決しようとする課題】
【０００４】
ところで、撮像装置のユーザの中には、同じ画像のデータを異なるファイル形式で保存したり、バックアップ用に同一のデータを複数保存したりすることを望む声がある。しかしながら、上述した技術では、複数の記録媒体に対する画像データの記録態様をユーザが柔軟にかつ容易に設定することはできなかった。
【０００５】
本発明は、上記に鑑みてなされたものであって、ユーザが複数の記録媒体に対する画像データの記録態様を柔軟にかつ容易に設定することができる撮像装置を提供することを目的とする。
【課題を解決するための手段】
【０００６】
上述した課題を解決し、目的を達成するために、本発明に係る撮像装置は、被写体を撮像して画像データを生成する撮像装置であって、前記画像データに対応する画像を含む情報を表示する表示部と、各々が前記画像データを記録する記録媒体を装着可能な記録スロットである第１および第２スロットと、前記第１および第２スロットにそれぞれ装着された２つの記録媒体への前記画像データの記録を所定の順序で連続的に切り換えて行う自動切換モード、および前記２つの記録媒体への前記画像データの記録を同時に行う同時記録モードのいずれかの記録モードを設定することが可能な記録制御部と、前記記録制御部が設定した記録モードに関する設定モード情報を記録モードごとに異なる表示態様で前記表示部に表示させる表示制御部と、を備えたことを特徴とする。
【発明の効果】
【０００７】
本発明に係る撮像装置によれば、ユーザが複数の記録媒体に対する画像データの記録態様を柔軟にかつ容易に設定することができる。
【図面の簡単な説明】
【０００８】
【図１】図１は、本発明の一実施の形態に係る撮像装置の機能構成を示すブロック図である。
【図２】図２は、本発明の一実施の形態に係る撮像装置が行う画像データの記録処理の概要を示すフローチャート（その１）である。
【図３】図３は、本発明の一実施の形態に係る撮像装置が行う画像データの記録処理の概要を示すフローチャート（その２）である。
【図４】図４は、本発明の一実施の形態に係る撮像装置が撮影枚数優先モードに設定されている場合に表示部が表示するライブビュー画像の表示例を示す図である。
【図５】図５は、本発明の一実施の形態に係る撮像装置に設定される記録モード毎の記録スロット、分担表示アイコン、使用状態表示アイコン、および撮影可能枚数の対応関係を示す図である。
【図６】図６は、表示部におけるコントロールパネルの表示例を示す図である。
【図７】図７は、表示部における選択項目の表示例を示す図である。
【図８】図８は、表示部における記録モードの選択候補の表示例を示す図である。
【図９】図９は、表示部における記録スロットの選択候補の表示例を示す図である。
【図１０】図１０は、表示部におけるファイル形式の選択候補の表示例を示す図である。
【図１１】図１１は、３つの項目における選択可能な種類の組み合わせを示す図である。
【発明を実施するための形態】
【０００９】
以下、添付図面を参照して、本発明を実施するための形態（以下、「実施の形態」という）を説明する。
【００１０】
図１は、本発明の一実施の形態に係る撮像装置の機能構成を示すブロック図である。同図に示す撮像装置１は、撮像パラメータに基づいて被写体を撮像して画像データを生成する撮像部２と、外部の音を集音して音声データを生成するマイクロフォン等からなる音声入力部３と、各種操作指示信号の入力を受け付ける入力部４と、撮像部２が生成した画像データに対応する画像を含む各種情報を表示する表示部５と、音声を出力するスピーカ等からなる音声出力部６と、各々が画像データを記録する記録媒体を装着可能な第１スロット７および第２スロット８と、撮像装置１の動作を統括して制御する制御部９と、撮像装置１の動作等に関する情報を記憶する記憶部１０と、を備える。
【００１１】
撮像部２は、１または複数のレンズを用いて構成され、被写体からの光を集光する光学系と、光学系を介して結像された光を光電変換して電気的な撮像信号を生成する撮像素子とを有する。光学系は、１または複数の各種光学素子を用いて構成される。撮像素子は、ＣＭＯＳ（Complementary  Metal  Oxide  Semiconductor）またはＣＣＤ（Charge  Coupled  Device）等のイメージセンサを用いて構成される。
【００１２】
入力部４は、表示部５の画面表示領域に積層して設けられるタッチパネル、撮像装置１の本体表面に設けられ、静止画撮影の指示入力を受け付けるレリーズスイッチ、動画撮影の開始および終了の指示入力を受け付ける各種スイッチまたは各種ボタン等のユーザインターフェースを用いて構成される。
【００１３】
表示部５は、撮像装置１の操作情報および撮影動作に関する情報を含む各種情報を表示する。表示部５は、撮像部２が連続的に生成する画像データに対応する画像を時系列に沿って順次表示するライブビュー表示や、第１スロット７および第２スロット８にそれぞれ装着された２つの記録媒体がそれぞれ記憶している画像データを再生する再生表示等を行うことが可能である。表示部５は、液晶または有機ＥＬ（Electro  Luminescence）等からなる表示パネルを用いて構成される。
【００１４】
第１スロット７および第２スロット８は、メモリカード等のコンピュータ読み取り可能な記録媒体を着脱自在に装着することが可能な記録スロットである。図１では、第１スロット７に記録媒体１１が装着され、第２スロット８に記録媒体１２が装着されている場合を示している。第１スロット７および第２スロット８は、記録媒体への書き込み速度等のインターフェースとしての仕様が同じであってもよいし異なっていてもよい。記録媒体１１および１２は、それぞれ第１スロット７および第２スロット８に装着して正常に書き込みを行うことが可能な仕様を有していることはいうまでもない。また、記録媒体１１および１２は同じ記録容量を有していてもよいし、異なる記録容量を有していてもよい。以下、単に記録媒体１１という場合には、第１スロット７に装着されていることを前提とする。また、単に記録媒体１２という場合にも、第２スロット８に装着されていることを前提とする。
【００１５】
制御部９は、撮像部２が生成した画像データ（ＲＡＷデータ）に対して各種の画像処理を行って処理済みの画像データを生成する画像処理部９１と、撮像部２が行う撮影動作を制御する撮影制御部９２と、表示部５における画像等の表示を制御する表示制御部９４と、撮像部２が生成した画像データの記録を制御する記録制御部９３とを有する。
【００１６】
画像処理部９１は、オプティカルブラック減算処理、ホワイトバランス（ＷＢ）調整処理、同時化処理（撮像部２の撮像素子がベイヤー配列のカラーフィルタを有する場合）、カラーマトリクス演算処理、ガンマ補正処理、色再現処理およびエッジ強調処理等のうち少なくとも一部の画像処理を行う。画像処理部９１は、上記各種処理後の画像データを所定の静止画または動画フォーマット（ファイル形式）にしたがって圧縮して出力する。静止画フォーマットとしては、例えばＪＰＥＧ、Ｅｘｉｆ等を挙げることができ、動画フォーマットとしては、例えばＭＰＥＧ−４  ＡＶＣ／Ｈ．２６４、ＡＶＣＨＤ等を挙げることができる。
【００１７】
記録制御部９３は、記録モードの設定および設定した記録モードに応じた画像データの記録制御を行う。記録制御部９３は、入力部４がモード設定信号の入力を受け付けた場合に記録モードの設定処理を実行する。また、記録制御部９３は、記録モードに応じて定まる撮像装置１の記録可能なデータ量を算出する。
【００１８】
記録制御部９３が設定可能な記録モードは、大別して標準モード、自動切換モード、および同時記録モードである。以下、各記録モードを説明する。
標準モードは、いずれか一方の記録スロットに装着された記録媒体に対してのみ画像データを記録するモードである。
自動切換モードは、２つの記録スロットにそれぞれ装着された２つの記録媒体への画像データの記録を所定の順序で自動的にかつ連続的に切り換えて記録を継続して行うモードである。
【００１９】
同時記録モードは、記録媒体１１および１２に対して同時に並行して記録するモードである。同時記録モードは、さらに個別記録モードと同一記録モードに分かれている。個別記録モードは、２つの記録媒体１１、１２に対して異なるファイル形式の設定により画像データを記録するモードである。これに対して、同一記録モードは、２つの記録媒体１１、１２に対して同一のファイル形式の画像データを記録するモードである。
【００２０】
個別記録モードと同一記録モードにおいては、それぞれ同一撮影優先モードおよび撮影枚数優先モードのいずれかを設定可能である。同一撮影優先モードは、２つの記録媒体１１、１２に同一の画像データを記録することを優先するモードである。これに対して、撮影枚数優先モードは、少なくとも１つの記録媒体に記録できる撮影枚数を多くすることを優先するモードである。
【００２１】
以下の説明において、個別記録モードかつ同一撮影優先モードのことを「個別［１］モード」といい、個別記録モードかつ撮影枚数優先モードのことを「個別［２］モード」という。また、同一記録モードかつ同一撮影優先モードのことを「同一［１］モード」といい、同一記録モードかつ撮影枚数優先モードのことを「同一［２］モード」という。
【００２２】
表示制御部９４は、記録制御部９３が設定した記録モードに関する設定モード情報を記録モードに応じて異なる態様で表示部５に表示させる。設定モード情報の具体例については後述する。
【００２３】
以上の機能構成を有する制御部９は、ＣＰＵ（Central  Processing  Unit）等の汎用プロセッサを用いて構成される。
【００２４】
記憶部１０は、撮像装置１が処理中の情報を一時的に記憶するとともに、撮像装置１が動作するための各種プログラムを記憶する。記憶部１０は、ＲＡＭ（Random  Access  Memory）等の揮発性メモリおよびＲＯＭ（Read  Only  Memory）等の不揮発性メモリを用いて構成される。
【００２５】
図２および図３は、撮像装置１が行う画像データの記録処理の概要を示すフローチャートである。まず、図２を参照して説明する。撮像装置１が同時記録モードに設定されている場合（ステップＳ１：Ｙｅｓ）、表示制御部９４は、撮像部２が連続的に生成した画像データに対応するライブビュー画像を表示部５に表示させる（ステップＳ２）。
【００２６】
撮像装置１が同時記録モードのうち撮影枚数優先モードに設定されている場合（ステップＳ３：Ｙｅｓ）、表示制御部９４は、２つの記録媒体１１、１２における記録可能枚数（撮影可能枚数）を比較し、多い方の記録可能枚数を記録可能なデータ量の情報（データ量情報）として表示部５に表示させる（ステップＳ４）。図４は、この場合に表示部５が表示するライブビュー画像の表示例を示す図である。同図に示すライブビュー画像１０１は、撮像部２が撮像した画像に重ねて画面右下の縁端部に設定モード情報としての使用状態表示アイコン１１１、およびデータ量情報１１２を並べて表示している。なお、図４では、データ量情報１１２を「○○○○」と模式的に表示しているが、実際には具体的な撮影可能枚数の数字が表示されることはいうまでもない。
【００２７】
使用状態表示アイコン１１１は、設定されている記録モード毎に定められている。図４に示す使用状態表示アイコン１１１は、どの記録モードでどの記録スロットが有効か、換言すればどの記録モードでどの記録スロットに装着された記録媒体に記録中であるかを示すアイコンである。図４に示す場合、同一［２］モードで第１スロット７および第２スロット８にそれぞれ装着された記録媒体１１および１２に同時に記録していることを示している。
【００２８】
図５は、撮像装置１に設定される記録モード毎の記録スロット、分担表示アイコン、使用状態表示アイコン（設定モード情報）、および撮影可能枚数（記録可能なデータ量の情報）の対応関係を示す図である。以下、図５を参照して、各記録モードに対応する使用状態表示アイコン１１１とデータ量情報１１２の表示内容について説明する。なお、分担表示アイコンについては後述する。
【００２９】
標準モードの場合の使用状態表示アイコン１１１は、記録中の記録スロットに関する情報として記録媒体を模式的に示す絵（記録スロットの番号付）を表示する。この場合のデータ量情報１１２は、使用中の記録スロットに装着された記録媒体における記録可能枚数である。なお、記録可能枚数は、記録する画像データのファイル形式に応じて異なることはいうまでもない。
【００３０】
自動切換モードの場合の使用状態表示アイコン１１１は、２つの記録スロットにそれぞれ対応する２つ記録媒体の絵（記録スロットの番号付）がシフトして重なった態様を有する。具体的には、予め定められた記録順に基づいて手前側が記録中の記録スロットに対応し、奥側が記録中ではない記録スロットに対応している。奥側の記録媒体の絵にドット模様が入っているのは、将来的にその記録媒体へ切り換わって記録が継続することを意味する。これに対して、奥側の記録媒体の絵にハッチング模様が入っているのは、その記録スロットが記録できない状況（エラー）にあることを示している。ここでいう記録できない状況には、その記録スロットに装着された記録媒体がこれ以上記録できない状況が含まれる。
【００３１】
例えば、第１スロット７、第２スロット８の順に画像データを記録する設定がなされている場合において、記録媒体１１に画像データが記録されているとき、表示部５が表示する使用状態表示アイコンは、第１スロット７に対応する絵を手前側に表示し、第２スロット８に対応する絵を奥側にドット模様で表示するアイコンである。その後、記録媒体１１への記録が終了して記録媒体１２に画像データが記録されている状況下で表示部５が表示する使用状態表示アイコンは、第２スロット８に対応する絵を手前側に表示し、第１スロット７に対応する絵を奥側にハッチング表示するアイコンである。
【００３２】
自動切換モードの場合のデータ量情報１１２は、２つの記録媒体１１、１２の合計の記録可能枚数である。
【００３３】
なお、図５に示すドット模様やハッチング模様はあくまでも一表示例に過ぎず、異なる色によって同様の意味を持たせることも可能である。また、２つの絵がシフトして重なったアイコンとする代わりに、記録できない状況の記録スロットに対応する絵を点滅させてもよいし、記録中の絵より小さい絵で表示するようにしてもよい。
【００３４】
個別［１］および個別［２］モードを示す使用状態表示アイコン１１１は、２つの記録スロットにそれぞれ対応する２つの記録媒体の絵が並んでおり、両者の間に斜線（／）が記載されている。また、アイコンの左端部には、個別［１］と個別［２］を区別するために異なる数の白い点が記載されている。ここでも記録媒体の絵にハッチング模様が入っているのは、その記録媒体が記録できない状況（エラー）にあることを示している。個別［１］モードの場合のデータ量情報１１２は、２つの記録媒体の記録可能枚数のうち少ない方の値である。また、個別［２］モードの場合のデータ量情報１１２は、２つの記録媒体の記録可能枚数のうち多い方の値である。
【００３５】
同一［１］および同一［２］モードを示す使用状態表示アイコン１１１は、２つの記録スロットにそれぞれ対応する２つの記録媒体の絵が並べて記載され、両者の間に等号（＝）が記載されている。また、アイコンの左端部には、同一［１］と同一［２］を区別するために異なる数のドットが記載されている。ここでも記録媒体の絵にハッチング模様が入っているのは、上記同様である。同一［１］モードの場合のデータ量情報１１２は、２つの記録媒体の記録可能枚数のうち少ない方の値である。また、同一［２］モードの場合のデータ量情報１１２は、２つの記録媒体の記録可能枚数のうち多い方の値である。
【００３６】
なお、ここでは静止画撮影の場合を前提として説明したが、動画撮影の場合には、データ量情報１１２として撮影可能時間を表示すればよい。また、静止画と動画を区別せずに記録モードを設定可能とする場合には、データ量情報１１２として記録可能なデータ量自体を表示すればよい。
【００３７】
ステップＳ４の後、入力部４がコントロールパネルの表示を指示する指示信号の入力を受け付けた場合（ステップＳ５：Ｙｅｓ）、表示制御部９４は表示部５にコントロールパネルを表示させる（ステップＳ６）。ステップＳ５で入力部４がコントロールパネルの表示を指示する指示信号の入力を受け付けない場合（ステップＳ５：Ｎｏ）、撮像装置１は後述するステップＳ８へ移行する。
【００３８】
図６は、表示部５におけるコントロールパネルの表示例を示す図である。同図に示すコントロールパネル表示画像１０２は、コントロールパネル１２１を表示している。コントロールパネル１２１の左下には、設定されたモードにおける２つの記録スロットの記録態様の分担を示す分担表示アイコン１２１１が表示されている。分担表示アイコン１２１１は、図５に示すように、使用状態表示アイコン１１１を簡素化した表示内容を有する。分担表示アイコン１２１１は、２つの記録媒体１１、１２における記録モードに応じた記録の分担内容を示す。分担表示アイコン１２１１は、記録モード（標準、自動切換、個別［１］、個別［２］、同一［１］、同一［２］）毎に同じアイコンが表示される。なお、図６では、コントロールパネル１２１の他に表示される内容は省略して記載している。コントロールパネル１２１には、例えば記録媒体１１と記録媒体１２にそれぞれ記録する画像データのファイル形式を表示してもよい。コントロールパネル表示画像１０２の右下には、ライブビュー画像１０１と同様に使用状態表示アイコン１１１およびデータ量情報１１２が表示されている。
【００３９】
ステップＳ６の後、入力部４がコントロールパネルの表示終了の指示信号の入力を受け付けた場合（ステップＳ７：Ｙｅｓ）、表示制御部９４は表示部５にライブビュー表示させる（ステップＳ８）。一方、入力部４がコントロールパネルの表示終了の指示信号の入力を受け付けない場合（ステップＳ７：Ｎｏ）、撮像装置１はステップＳ６へ戻る。
【００４０】
ステップＳ８の後、入力部４が撮影の指示信号の入力を受け付けた場合（ステップＳ９：Ｙｅｓ）、撮影制御部９２は、撮像部２に撮影を実行させる（ステップＳ１０）。この場合、画像処理部９１は、撮像部２が生成した画像データ（ＲＡＷデータ）に対して所定の画像処理を行う。ステップＳ９において入力部４が撮影の指示信号の入力を受け付けない場合（ステップＳ９：Ｎｏ）、撮像装置１は後述するステップＳ１４へ移行する。
【００４１】
ステップＳ１０の後、撮像装置１が同一記録モードに設定されている場合（ステップＳ１１：Ｙｅｓ）、記録制御部９３は、２つの記録媒体１１、１２に同じ画像データを記録する（ステップＳ１２）。一方、撮像装置１が同一記録モードに設定されていない場合（ステップＳ１１：Ｎｏ）、すなわち撮像装置１が個別記録モードに設定されている場合、記録制御部９３は２つの記録媒体１１、１２に異なる画像データを記録する（ステップＳ１３）。ここでいう異なる画像データとは、撮像した内容は同一でファイル形式が異なる画像データという意味であり、例えばＲＡＷデータとＪＰＥＧデータのことである。
【００４２】
その後、入力部４が電源オフ等の終了指示信号の入力を受け付けた場合（ステップＳ１４：Ｙｅｓ）、撮像装置１は一連の処理を終了する。一方、入力部４が終了指示信号の入力を受け付けない場合（ステップＳ１４：Ｎｏ）、撮像装置１はステップＳ１へ戻る。
【００４３】
ステップＳ３において撮像装置１が撮影枚数優先モードに設定されていない場合（ステップＳ３：Ｎｏ）、すなわち同一撮影優先モードに設定されている場合、記録制御部９３が２つの記録媒体１１、１２における撮影可能枚数をそれぞれ算出し、表示制御部９４が少ない方の撮影可能枚数をデータ量情報１１２として表示部５に表示させる（ステップＳ１５）。その後、同時記録可能な状態であれば（ステップＳ１６：Ｙｅｓ）、撮像装置１はステップＳ８へ移行する。
【００４４】
ステップＳ１６において同時記録可能な状態でなければ（ステップＳ１６：Ｎｏ）、表示制御部９４は表示部５に警告を表示させる（ステップＳ１７）。この後、撮像装置１はステップＳ１４へ移行する。なお、表示部５が警告を表示する代わりに、音声出力部６が音声によって警告を出力するようにしてもよい。
【００４５】
次に、撮像装置１が同時記録モードに設定されておらず（ステップＳ１：Ｎｏ）、自動切換モードに設定されている場合（ステップＳ１８：Ｙｅｓ）を説明する。この場合、表示制御部９４は、ライブビュー画像を表示部５に表示させる（ステップＳ１９）。
【００４６】
続いて、記録制御部９３は、記録媒体１１と記録媒体１２の撮影可能枚数を加算し、表示制御部９４がこの加算した結果をデータ量情報１１２として表示部５に表示させる（ステップＳ２０）。
【００４７】
その後、入力部４が撮影の指示入力を受け付けた場合（ステップＳ２１：Ｙｅｓ）、撮影制御部９２は、撮像部２に撮影を実行させる（ステップＳ２２）。一方、入力部４が撮影の指示入力を受け付けない場合（ステップＳ２１：Ｎｏ）、撮像装置１はステップＳ１４へ移行する。
【００４８】
ステップＳ２２の後、記録制御部９３は、設定された記録順に基づいていずれか一方の記録媒体に画像データを記録する（ステップＳ２３）。この後、撮像装置１はステップＳ１４へ移行する。なお、２つの記録媒体ともに画像データの記録ができない場合、表示制御部９４が表示部５に警告を表示させるようにしてもよい。
【００４９】
ステップＳ１８において自動切換モードに設定されていない場合（ステップＳ１８：Ｎｏ）の処理について、図３のフローチャートを参照して説明する。この場合において、撮像装置１が標準モードに設定されているとき（ステップＳ２４：Ｙｅｓ）、表示制御部９４は、ライブビュー画像を表示部５に表示させる（ステップＳ２５）。
【００５０】
その後、入力部４が撮影の指示信号の入力を受け付けた場合（ステップＳ２６：Ｙｅｓ）、撮影制御部９２は、撮像部２に撮影を実行させる（ステップＳ２７）。一方、入力部４が撮影の指示信号の入力を受け付けない場合（ステップＳ２６：Ｎｏ）、撮像装置１はステップＳ１４へ移行する。
【００５１】
ステップＳ２７の後、記録制御部９３は、指定された記録媒体へ画像データを記録する（ステップＳ２８）。この後、撮像装置１はステップＳ１４へ移行する。
【００５２】
次に、撮像装置１が標準モードに設定されておらず（ステップＳ２４：Ｎｏ）、ガイドモードに設定されている場合（ステップＳ２９：Ｙｅｓ）を説明する。ガイドモードは、記録モードを設定するための設定用情報を表示するモードである。記録モードからガイドモードへの移行は、例えばユーザが表示部５の画面上で使用状態表示アイコン１１１およびデータ量情報１１２を表示している領域をタッチして移行指示信号を入力することによって実現される。
【００５３】
ガイドモードに設定されている場合（ステップＳ２９：Ｙｅｓ）、まず表示制御部９４が表示部５に記録モードの設定用情報としての選択項目を表示させる（ステップＳ３０）。図７は、表示部５における選択項目の表示例を示す図である。同図に示す選択項目表示画像１０３は、画面右下に４つの選択項目を含む選択項目表示部１３０を有する。選択項目表示部１３０は、記録モードの種類を示す記録モード表示部１３１、有効となる記録スロットの種類を示す記録スロット表示部１３２、画像データのファイル形式を示すファイル形式表示部１３３ならびに記録モード、記録スロットおよびファイル形式の組み合わせに応じて定まる撮影可能枚数を示す撮影可能枚数表示部１３４からなる。図７に示す場合、記録モード表示部１３１が「標準」、記録スロット表示部１３２が第１スロット７（「１」と表示）、ファイル形式表示部１３３が「ＪＰＥＧ」と表示している場合を例示している。なお、図７では、静止画の場合を想定していたが、動画の場合にも同様にガイドモードを設定することは可能である。その場合には、ファイル形式を「ＭＰＥＧ」等とし、撮影可能枚数の代わりに撮影可能時間を表示するようにすればよい。
【００５４】
この後、選択入力が行われた場合（ステップＳ３１：Ｙｅｓ）、表示制御部９４は入力内容に応じて表示を変更する（ステップＳ３２）。この際、入力部４が４つの選択項目のいずれかの選択入力を受け付けた場合、表示制御部９４はその選択項目で選択可能な候補の一覧を表示部５に表示させる。図８は、表示部５における記録モードの選択候補の表示例を示す図である。図８に示す候補表示画像１０４は、「標準」、「自動切換」、「個別［１］」、「個別［２］」、「同一［１］」、「同一［２］」の６つの候補を表示する。
【００５５】
図９は、表示部５における記録スロットの選択候補の表示例を示す図である。同図に示す候補表示画像１０５は、「１」、「２」、「１＋２」、「１／２」の４つの候補を表示する。なお、本明細書では、記録媒体の絵の中に記載された数字のみを用いて説明する。このうち「１＋２」のアイコンは、自動切換モードまたは同一［１］モードが選択された場合に表示される。また、「１／２」のアイコンは、個別［１］モード、個別［２］モード、または同一［２］モードが選択された場合に表示される。
【００５６】
図１０は、表示部５におけるファイル形式の選択候補の表示例を示す図である。同図に示す候補表示画像１０６は、「ＪＰＥＧ」、「ＲＡＷ」、「ＪＰＥＧ＋ＲＡＷ」、「ＪＰＥＧ／ＲＡＷ」、「ＪＰＥＧ／ＪＰＥＧ＋ＲＡＷ」、「ＲＡＷ／ＪＰＥＧ」、「ＲＡＷ／ＪＰＥＧ＋ＲＡＷ」、「ＪＰＥＧ＋ＲＡＷ／ＪＰＥＧ」、「ＪＰＥＧ＋ＲＡＷ／ＲＡＷ」の９つの候補を表示する。このうち、例えば「ＪＰＥＧ＋ＲＡＷ」は、ファイル形式としてＪＰＥＧとＲＡＷの両方を使用可能であることを意味する。「ＪＰＥＧ＋ＲＡＷ」が選択された場合には、どちらのファイル形式で画像データを保存するかをユーザが選択し、入力部４を介して選択指示信号を入力する。また、「ＪＰＥＧ／ＲＡＷ」は、第１スロット７に装着された記録媒体１１のファイル形式を「ＪＰＥＧ」とし、第２スロット８に装着された記録媒体１２のファイル形式を「ＲＡＷ」とすることを意味する。
【００５７】
記録モード、有効にする記録スロット、およびファイル形式は独立に選択できるわけではなく、いずれか１つの項目の種類が選択された場合、他の項目で選択可能な種類の組み合わせは限定される。したがって、例えば１つの項目の種類が選択された場合、表示部５はその種類に対応して他の項目で選択可能な種類のみを表示する。図１１は、３つの項目における選択可能な種類の組み合わせを示す図である。以下、図１１を参照して、ガイドモードで選択可能な種類の組み合わせを説明する。
【００５８】
（１）標準モード
記録スロットは「１」または「２」を選択可能である。ファイル形式は、「ＪＰＥＧ」、「ＲＡＷ」および「ＪＰＥＧ＋ＲＡＷ」のいずれかを選択可能である。この場合、撮影可能枚数表示部１３４には、暫定的に選択されている記録スロットに装着された記録媒体およびファイル形式の組み合わせに応じた撮影可能枚数が表示される。選択されたファイル形式が「ＪＰＥＧ＋ＲＡＷ」である場合、撮影可能枚数は、残りの記録可能容量を、１回の撮影で記録されるＪＰＥＧデータとＲＡＷデータの容量和で除した量である。
【００５９】
（２）自動切換モード
記録スロットは「１＋２」のみが選択可能であり、ファイル形式は「ＪＰＥＧ」、「ＲＡＷ」および「ＪＰＥＧ＋ＲＡＷ」のいずれかを選択可能である。この場合、撮影可能枚数表示部１３４には、暫定的に選択されているファイル形式の組み合わせに応じて２つの記録スロットにそれぞれ装着された２つの記録媒体１１、１２の記録可能枚数の合計が表示される。
【００６０】
（３）個別［１］モード
記録スロットは「１／２」のみが選択可能である。ファイル形式は、２つの記録スロットに対して個別に「ＪＰＥＧ」、「ＲＡＷ」および「ＪＰＥＧ＋ＲＡＷ」のいずれかのファイル形式を選択可能である。例えば、「ＪＰＥＧ／ＲＡＷ」は第１スロット７に装着された記録媒体１１にＪＰＥＧデータを記録し、第２スロット８に装着された記録媒体１２にＲＡＷデータを記録することを意味する。また、「ＪＰＥＧ＋ＲＡＷ／ＪＰＥＧ」は、第１スロット７に装着された記録媒体１１にＪＰＥＧデータおよびＲＡＷデータを記録し、第２スロット８に装着された記録媒体１２にＪＰＥＧデータを記録することを意味する。この場合、撮影可能枚数表示部１３４には、暫定的に選択されているファイル形式の組み合わせに応じて２つの記録媒体１１、１２の撮影可能枚数のうち少ない方の値が表示される。なお、選択されたファイル形式が「ＪＰＥＧ＋ＲＡＷ」である場合の撮影可能枚数は、残りの記録可能容量を、１回の撮影で記録されるＲＡＷとＪＰＥＧの容量和で除した量である。
【００６１】
（４）個別［２］モード
記録スロットおよびファイル形式は個別［１］と同様の項目を選択可能である。この場合、撮影可能枚数表示部１３４には、２つの記録媒体１１、１２の撮影可能枚数のうち多い方の値が表示される。選択されたファイル形式が「ＪＰＥＧ＋ＲＡＷ」である場合の撮影可能枚数の取り扱いは、上記（３）と同様である。なお、撮影可能枚数表示部１３４に２つの記録媒体１１、１２の撮影可能枚数を併記して表示するようにしてもよい。
【００６２】
（５）同一［１］モード
記録スロットは「１＋２」のみが選択可能であり、ファイル形式は「ＪＰＥＧ」、「ＲＡＷ」および「ＪＰＥＧ＋ＲＡＷ」のいずれかを選択可能である。この場合、撮影可能枚数表示部１３４には、暫定的に選択されているファイル形式に応じて２つの記録媒体１１、１２の撮影可能枚数のうち少ない方の値が表示される。選択されたファイル形式が「ＪＰＥＧ＋ＲＡＷ」である場合の撮影可能枚数の取り扱いは、上記（３）と同様である。
【００６３】
（６）同一［２］モード
記録スロットは「１／２」のみが選択可能であり、ファイル形式は「ＪＰＥＧ」、「ＲＡＷ」および「ＪＰＥＧ＋ＲＡＷ」のいずれかを選択可能である。この場合、撮影可能枚数表示部１３４には、２つの記録媒体１１、１２の撮影可能枚数のうち多い方の値が表示される。なお、撮影可能枚数表示部１３４に２つの記録媒体１１、１２の撮影可能枚数を併記して表示するようにしてもよい。選択されたファイル形式が「ＪＰＥＧ＋ＲＡＷ」である場合の撮影可能枚数の取り扱いは、上記（３）と同様である。
【００６４】
ステップＳ３２の後、入力部４が選択を確定する信号の入力を受け付けたとき（ステップＳ３３：Ｙｅｓ）、記録制御部９３は記録モードの設定を行う（ステップＳ３４）。その後、撮像装置１はステップＳ１４へ移行する。
【００６５】
ステップＳ３１で入力部４が選択入力を受け付けない場合（ステップＳ３１：Ｎｏ）、およびステップＳ３３で入力部４が選択確定の信号の入力を受け付けない場合（ステップＳ３３：Ｎｏ）、撮像装置１はステップＳ１４へ移行する。
【００６６】
次に、撮像装置１がガイドモードに設定されておらず（ステップＳ２９：Ｎｏ）、再生モードに設定されている場合（ステップＳ３５：Ｙｅｓ）を説明する。この場合、表示制御部９４は、記録媒体１１および／または１２が記録する画像データのサムネイルを表示部５に順次表示するサムネイル表示を行う（ステップＳ３６）。
【００６７】
続いて入力部４が、表示部５が表示する複数のサムネイルのいずれか１つの選択入力を受け付けた場合（ステップＳ３７：Ｙｅｓ）、表示制御部９４は、選択された画像を表示部５に再生表示させる（ステップＳ３８）。入力部４が、表示部５が表示する複数のサムネイルのいずれか１つの選択入力を受け付けない場合（ステップＳ３７：Ｎｏ）、撮像装置１はステップＳ１４へ移行する。
【００６８】
ステップＳ３８の後、入力部４が、再生する画像の変更を指示する信号の入力を受け付けた場合（ステップＳ３９：Ｙｅｓ）、表示制御部９４は変更された画像を表示部５に再生表示させる（ステップＳ４０）。入力部４が再生画像の変更を指示する信号の入力を受け付けない場合（ステップＳ３９：Ｎｏ）、撮像装置１はステップＳ１４へ移行する。
【００６９】
最後に、ステップＳ３５で撮像装置１が再生モードに設定されていない場合（ステップＳ３５：Ｎｏ）を説明する。この場合、撮像装置１はその他の設定可能なモードへ移行する。その他の設定可能なモードについての記載は省略する。
【００７０】
以上説明した本発明の一実施の形態によれば、設定されている記録モードに関する設定モード情報を記録モードごとに異なる表示態様で表示部に表示させるため、ユーザが２つの記録媒体に対する画像データの記録態様を柔軟にかつ容易に設定することができる。
【００７１】
また、本実施の形態によれば、ユーザは、複数のスロットの主従関係を認識することなく、所望の記録態様で画像データを撮像装置に記録させることができる。
【００７２】
また、本実施の形態によれば、記録モードに応じて表示部が表示するアイコンを異なる態様で表示するため、ユーザは設定されている記録モードを直感的に認識することができる。
【００７３】
また、本実施の形態によれば、設定モード情報および記録可能なデータ量の情報を表示部の画面の縁端部に並べて表示するため、周縁部のスペースを有効に活用してユーザに的確な情報を提供することができる。
【００７４】
本明細書におけるフローチャートの説明では、「まず」、「その後」、「続いて」等の表現を用いてステップ間の処理の前後関係を明示していたが、上述した実施の形態を実施するために必要な処理の順序は、それらの表現によって一意的に定められるわけではない。すなわち、本明細書で記載したフローチャートにおける処理の順序は、矛盾のない範囲で変更することができる。
【００７５】
また、本明細書においてフローチャートを用いて説明した処理のアルゴリズムは、プログラムとして記述することが可能である。このようなプログラムは、コンピュータ内部の記録部が記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【００７６】
このように、本発明は、ここでは記載していない様々な実施の形態を含みうるものであり、特許請求の範囲によって特定される技術的思想の範囲内で種々の設計変更等を行うことが可能である。
【符号の説明】
【００７７】
１・・・撮像装置；２・・・撮像部；３・・・音声入力部；４・・・入力部；５・・・表示部；６・・・音声出力部；７・・・第１スロット；８・・・第２スロット；９・・・制御部；１０・・・記憶部；１１、１２・・・記録媒体；９１・・・画像処理部；９２・・・撮影制御部；９３・・・記録制御部；９４・・・表示制御部；１０１・・・ライブビュー画像；１０２・・・コントロールパネル表示画像；１０３・・・選択項目表示画像；１０４〜１０６・・・候補表示画像；１１１・・・使用状態表示アイコン；１１２・・・データ量情報；１３０・・・選択項目表示部；１３１・・・記録モード表示部；１３２・・・記録スロット表示部；１３３・・・ファイル形式表示部；１３４・・・撮影可能枚数表示部
【図１】
0006665022.tif 000002
【図２】
0006665022.tif 000003
【図３】
0006665022.tif 000004
【図４】
0006665022.tif 000005
【図５】
0006665022.tif 000006
【図６】
0006665022.tif 000007
【図７】
0006665022.tif 000008
【図８】
0006665022.tif 000009
【図９】
0006665022.tif 000010
【図１０】
0006665022.tif 000011
【図１１】
0006665022.tif 000012